(57)【特許請求の範囲】
【請求項１】
複数のアプリケーションプログラムを記憶する記憶手段と、前記記憶手段によって記憶されている前記アプリケーションプログラムの中から所定のものを選択し、実行制御用アプリケーションプログラムとして起動し、前記アプリケーションプログラムの中から他の所定のものを選択し、画面描画用アプリケーションプログラムとして起動する実行管理手段と、
各種データを表示する表示手段と、
所定のキー入力を行うためのキー入力手段と、
前記キー入力手段によって入力された前記キーに対応するキーコードを、前記実行管理手段によって起動された前記実行制御用アプリケーションプログラムに通知するキー入力通知手段と、
前記キー入力通知手段により通知された前記キーコードが、他のアプリケーションプログラムへの移行を指示するものであるか否かを判定する判定手段と
を備え、
前記実行管理手段は、前記判定手段による判定結果に応じて、前記実行制御用アプリケーションを終了させ、前記画面描画用アプリケーションを実行制御用アプリケーションとして起動するか、または、前記アプリケーションプログラムの中から、前記キーコードに対応する所定のアプリケーションプログラムを画面描画用アプリケーションとして起動し、前記キーコードに対応する他の所定のアプリケーションプログラムを実行制御用アプリケーションとして起動する
ことを特徴とする情報処理装置。
【請求項２】
前記実行管理手段によって起動された前記実行制御用アプリケーションプログラムは、前記表示手段の画面に透明画面を表示し、キー入力通知待ち状態となる
ことを特徴とする請求項１に記載の情報処理装置。
【請求項３】
前記画面描画用アプリケーションプログラムは、前記表示手段の画面に所定のデータを表示する
ことを特徴とする請求項１または２に記載の情報処理装置。
【請求項４】
前記実行制御用アプリケーションプログラムは、前記判定手段によって、前記キー入力通知手段により通知された前記キーコードが、他のアプリケーションプログラムへの移行を指示するものではないと判定された場合、前記キーコードに対応する機能を実現するための処理を実行する
ことを特徴とする請求項１，２または３に記載の情報処理装置。
【請求項５】
複数のアプリケーションプログラムを記憶する記憶ステップと、
前記記憶ステップにおいて記憶された前記アプリケーションプログラムの中から所定のものを選択し、実行制御用アプリケーションプログラムとして起動し、前記アプリケーションプログラムの中から他の所定のものを選択し、画面描画用アプリケーションプログラムとして起動する実行管理ステップと、
各種データを表示する表示ステップと、
所定のキー入力を行うためのキー入力ステップと、
前記キー入力ステップにおいて入力された前記キーに対応するキーコードを、前記実行管理ステップにおいて起動された前記実行制御用アプリケーションプログラムに通知するキー入力通知ステップと、
前記キー入力通知ステップにおいて通知された前記キーコードが、他のアプリケーションプログラムへの移行を指示するものであるか否かを判定する判定ステップと
を備え、
前記実行管理ステップにおいては、前記判定ステップにおける判定結果に応じて、前記実行制御用アプリケーションを終了させ、前記画面描画用アプリケーションを実行制御用アプリケーションとして起動するか、または、前記アプリケーションプログラムの中から、前記キーコードに対応する所定のアプリケーションプログラムを画面描画用アプリケーションとして起動し、前記キーコードに対応する他の所定のアプリケーションプログラムを実行制御用アプリケーションとして起動する
ことを特徴とする情報処理方法。
【請求項６】
複数のアプリケーションプログラムを記憶する記憶ステップと、
前記記憶ステップにおいて記憶された前記アプリケーションプログラムの中から所定のものを選択し、実行制御用アプリケーションプログラムとして起動し、前記アプリケーションプログラムの中から他の所定のものを選択し、画面描画用アプリケーションプログラムとして起動する実行管理ステップと、
各種データを表示する表示ステップと、
所定のキー入力を行うためのキー入力ステップと、
前記キー入力ステップにおいて入力された前記キーに対応するキーコードを、前記実行管理ステップにおいて起動された前記実行制御用アプリケーションプログラムに通知するキー入力通知ステップと、
前記キー入力通知ステップにおいて通知された前記キーコードが、他のアプリケーションプログラムへの移行を指示するものであるか否かを判定する判定ステップとをコンピュータに実行させ、
前記実行管理ステップにおいて、前記判定ステップにおける判定結果に応じて、前記実行制御用アプリケーションを終了させ、前記画面描画用アプリケーションを実行制御用アプリケーションとして起動するか、または、前記アプリケーションプログラムの中から、前記キーコードに対応する所定のアプリケーションプログラムを画面描画用アプリケーションとして起動し、前記キーコードに対応する他の所定のアプリケーションプログラムを実行制御用アプリケーションとして起動するように制御する
ことを特徴とする情報処理プログラム。
【発明の詳細な説明】
【０００１】
【発明の属する技術分野】
本発明は、情報処理装置に関し、特に、画面描画用アプリケーションと実行制御用アプリケーションを組み合わせて新たな機能を有するアプリケーションを構築できる情報処理装置に関する。
【０００２】
【従来の技術】
近年、コンピュータや携帯電話機が家庭で広く使われるようになってきている。特に、携帯電話機はさまざまな機能を持つようになってきており、それぞれ描画装置の精度がよくなるとともに、メモリ容量や通信容量も大きくなり、さまざまなコンテンツを描画することができるようになっている。従来の実行・描画システムでは、描画アプリケーションと実行制御アプリケーションは１つのアプリケーションとして作成され、入力されたキーに対応するキーコードを通知する部分は、このアプリケーションに対してキー通知を行うようになっている。
【０００３】
【発明が解決しようとする課題】
しかしながら、従来技術には、次のような問題点があった。即ち、描画部分だけが異なる機能を持つアプリケーションを開発するために、別々のアプリケーションを作成する必要があったということである。その理由は、透明画面として描画するシステムがなかったためである。
【０００４】
本発明はこのような状況に鑑みてなされたものであり、画面描画用のアプリケーションと実行制御用のアプリケーションとを組み合わせて新たな機能を有するアプリケーションを作成することができるようにするものである。
【０００５】
【課題を解決するための手段】
請求項１に記載の情報処理装置は、複数のアプリケーションプログラムを記憶する記憶手段と、記憶手段によって記憶されているアプリケーションプログラムの中から所定のものを選択し、実行制御用アプリケーションプログラムとして起動し、アプリケーションプログラムの中から他の所定のものを選択し、画面描画用アプリケーションプログラムとして起動する実行管理手段と、各種データを表示する表示手段と、所定のキー入力を行うためのキー入力手段と、キー入力手段によって入力されたキーに対応するキーコードを、実行管理手段によって起動された実行制御用アプリケーションプログラムに通知するキー入力通知手段と、キー入力通知手段により通知されたキーコードが、他のアプリケーションプログラムへの移行を指示するものであるか否かを判定する判定手段とを備え、実行管理手段は、判定手段による判定結果に応じて、実行制御用アプリケーションを終了させ、画面描画用アプリケーションを実行制御用アプリケーションとして起動するか、または、アプリケーションプログラムの中から、キーコードに対応する所定のアプリケーションプログラムを描画処理用アプリケーションとして起動し、キーコードに対応する他の所定のアプリケーションプログラムを実行制御用アプリケーションとして起動することを特徴とする。
また、実行管理手段によって起動された実行制御用アプリケーションプログラムは、表示手段の画面に透明画面を表示し、キー入力通知待ち状態となるようにすることができる。
また、画面描画用アプリケーションプログラムは、表示手段の画面に所定のデータを表示するようにすることができる。
また、実行制御用アプリケーションプログラムは、判定手段によって、キー入力通知手段により通知されたキーコードが、他のアプリケーションプログラムへの移行を指示するものではないと判定された場合、キーコードに対応する機能を実現するための処理を実行するようにすることができる。
請求項５に記載の情報処理方法は、複数のアプリケーションプログラムを記憶する記憶ステップと、記憶ステップにおいて記憶されたアプリケーションプログラムの中から所定のものを選択し、実行制御用アプリケーションプログラムとして起動し、アプリケーションプログラムの中から他の所定のものを選択し、画面描画用アプリケーションプログラムとして起動する実行管理ステップと、各種データを表示する表示ステップと、所定のキー入力を行うためのキー入力ステップと、キー入力ステップにおいて入力されたキーに対応するキーコードを、実行管理ステップにおいて起動された実行制御用アプリケーションプログラムに通知するキー入力通知ステップと、キー入力通知ステップにおいて通知されたキーコードが、他のアプリケーションプログラムへの移行を指示するものであるか否かを判定する判定ステップとを備え、実行管理ステップにおいては、判定ステップにおける判定結果に応じて、実行制御用アプリケーションを終了させ、画面描画用アプリケーションを実行制御用アプリケーションとして起動するか、または、アプリケーションプログラムの中から、キーコードに対応する所定のアプリケーションプログラムを画面描画用アプリケーションとして起動し、キーコードに対応する他の所定のアプリケーションプログラムを実行制御用アプリケーションとして起動することを特徴とする。
請求項６に記載の情報処理プログラムは、複数のアプリケーションプログラムを記憶する記憶ステップと、記憶ステップにおいて記憶されたアプリケーションプログラムの中から所定のものを選択し、実行制御用アプリケーションプログラムとして起動し、アプリケーションプログラムの中から他の所定のものを選択し、画面描画用アプリケーションプログラムとして起動する実行管理ステップと、各種データを表示する表示ステップと、所定のキー入力を行うためのキー入力ステップと、キー入力ステップにおいて入力されたキーに対応するキーコードを、実行管理ステップにおいて起動された実行制御用アプリケーションプログラムに通知するキー入力通知ステップと、キー入力通知ステップにおいて通知されたキーコードが、他のアプリケーションプログラムへの移行を指示するものであるか否かを判定する判定ステップとをコンピュータに実行させ、実行管理ステップにおいて、判定ステップにおける判定結果に応じて、実行制御用アプリケーションを終了させ、画面描画用アプリケーションを実行制御用アプリケーションとして起動するか、または、アプリケーションプログラムの中から、キーコードに対応する所定のアプリケーションプログラムを画面描画用アプリケーションとして起動し、キーコードに対応する他の所定のアプリケーションプログラムを実行制御用アプリケーションとして起動するように制御することを特徴とする。
【０００６】
【発明の実施の形態】
本発明は、複数のアプリケーションが存在するシステム中で、画面描画用アプリケーションと実行制御用アプリケーションを組み合わせて新たな機能を有するアプリケーションを作成し、システム化することができるようにするものである。
【０００７】
図１において、アプリケーションプログラム実行管理手段１０２は、アプリケーションプログラム群（特定機能実現手段）１０１から２つのアプリケーションプログラムを選び出して１つを実行制御用起動し、他のアプリケーションプログラムを画面描画用起動する。アプリケーションプログラム群１０１に属する各アプリケーションプログラムは、キー通知に対応する実行制御処理機能と画面描画処理機能を有し、実行制御用起動された場合には透明画面を描画し、画面描画用起動された場合には通常の画面描画を行う。
【０００８】
ここで、透明画面とは、透過色の仕組みを利用して描画を行った画面のことである。描画を行う場合、通常は色を使用する。例えば、赤（Ｒ）、緑（Ｇ）、青（Ｂ）をビットパターンで指定して描画を行う。このとき、色を用いずに描画するときの指定色を「透過色用の色」として指定しておく。アプリケーションプログラム実行管理手段１０２は、透明にしたい部分には「透過色用の色」を使用する。即ち、透過色用の色が指定された部分は、色を塗らないようにすることにより、画面上では透明となる。
【０００９】
キー入力通知手段１０３は、入力されたキーを実行制御用起動されたアプリケーションに通知する。これにより、一方のアプリケーションが実行制御を行いながら、他方のアプリケーションが描画した画面が見えるようにすることができる。
【００１０】
以下、図１を参照して本実施の形態の構成及び動作について説明する。図１は、本発明を応用した実行・描画統合システムの一実施の形態の構成例を示すブロック図である。同図に示すように、本実施の形態は、プログラム制御により動作するコンピュータ（中央処理装置；プロセッサ；データ処理装置）１００と、キー入力手段（キー入力装置）１１０と、画面表示手段（画面表示装置）１２０とから構成されている。
【００１１】
コンピュータ１００は、アプリケーションプログラム群（特定機能実現手段）１０１と、アプリケーションプログラム実行管理手段１０２と、キー入力通知手段１０３等により構成されている。
【００１２】
これらの手段はそれぞれ概略次のように動作する。アプリケーションプログラム群１０１は、特定の機能を実現するためのアプリケーションプログラムの集まりである。それぞれのアプリケーションプログラムは、画面表示手段１２０を介してユーザに見せるべきデータを画面に描画し、ユーザによるキー入力操作を促す。また、ユーザが、キー入力手段１１０を介して入力したキーに従って、特定の機能を実現するための処理を行う。それぞれのアプリケーションプログラムは、画面描画処理の特徴である透明画面描画を行う機能を有している。
【００１３】
アプリケーションプログラム実行管理手段１０２は、アプリケーションプログラム群１０１から２つのアプリケーションプログラムを選び出し、それぞれ実行制御用起動、及び画面描画用起動の２種類の用途のいずれかを指定して起動する。キー入力通知手段１０３は、アプリケーションプログラム実行管理手段１０２が実行制御用起動したアプリケーションプログラムに対して、キー入力手段１１０より入力されたキーに対応するキーコードを通知するようになっている。
【００１４】
次に、図２のフローチャートを参照して、本実施の形態の全体の動作について詳細に説明する。まず、アプリケーションプログラム実行管理手段１０２は、アプリケーションプログラム群（ＡＰ群）１０１から所定のアプリケーションプログラム（ＡＰ）を１つだけ選び出し、画面描画用起動する（ステップＡ１）。次に、アプリケーションプログラム群１０１から別のアプリケーションプログラム（ＡＰ）を１つだけ選び出し、実行制御用起動する（ステップＡ２）。
【００１５】
画面描画用起動されたアプリケーションプログラムは、画面描画処理を実行する。即ち、画面表示手段１２０の画面に所定のデータを描画する処理を実行する（ステップＢ１）。一方、実行制御用起動されたアプリケーションプログラムは、画面表示手段１２０の画面に透明画面を表示し（ステップＣ１）、キー入力通知待ち状態となる（ステップＣ２）。
【００１６】
キー入力手段１１０から所定のキーが入力されると、キー入力通知手段１０３は、ステップＡ２において、アプリケーションプログラム実行管理手段１０２によって実行制御用起動されたアプリケーションプログラム（以下では適宜、実行制御用アプリケーションと記載する）に対して、入力されたキーに対応するキーコードを通知する。
【００１７】
実行制御用アプリケーションは、キー入力通知手段１０３より通知されたキーコードに基づいて、入力されたキーの種別を判定し、制御移行操作が行われたか否かを判定する（ステップＣ３）。判定の結果、制御移行操作が行われたと判定された場合、アプリケーションプログラム実行管理手段１０２へ制御を移し（ステップＣ４）、ステップＡ３以降の処理が実行される。一方、制御移行操作が行われていないと判定された場合、実行制御用アプリケーションは、入力されたキーに応じて、対応する処理を実行する（ステップＣ５）。その後、ステップＣ２に戻り、ステップＣ２以降の処理を繰り返し実行する。
【００１８】
一方、ステップＣ３における判定の結果、制御移行操作が行われたと判定され、ステップＣ４において、アプリケーションプログラム実行管理手段１０２へ制御が移されると、アプリケーションプログラム実行管理手段１０２は、ステップＡ３において、描画側遷移操作、即ち、画面描画用アプリケーションへ制御を移行するための操作が行われたか否かを判定し、画面描画用アプリケーションへ制御を移行するための操作が行われたと判定された場合、実行制御用アプリケーション（実行制御用ＡＰ）を終了させ（ステップＡ４）、制御移行操作に対応するアプリケーションが指定されたテーブルを取得して、対応する描画処理用アプリケーション（描画用ＡＰ）を実行制御用に変更する。即ち、制御移行操作に対応する描画処理用アプリケーションを実行制御用起動する（ステップＡ５）。
【００１９】
一方、ステップＡ３において、画面描画用アプリケーションへ制御を移行するための操作が行われていないと判定された場合、制御移行操作に対応するアプリケーションが指定されたテーブルを取得する。このテーブルは、コンピュータ１００の図示せぬ記憶装置に記憶されており、制御移行操作に対応するキーコード、対応する画面描画用アプリケーション、対応する実行制御用アプリケーションから構成される。従って、制御移行操作を指示するために入力されたキーに対応する画面描画用アプリケーションと実行制御用アプリケーションとが特定される。
【００２０】
その後、ステップＡ１に戻り、制御移行操作に対応する画面描画用アプリケーションがアプリケーションプログラム群１０１から選び出されて画面描画用起動される。次に、ステップＡ２において、制御移行操作に対応する実行制御用アプリケーションがアプリケーションプログラム群１０１から選び出されて実行制御用起動される。
【００２１】
各アプリケーションプログラムは、第１引数として起動種別を受け取るようになっている。そして、各アプリケーションプログラムは、起動されたときに第１引数として受け渡される起動種別に基づいて、画面描画用起動されたか、或いは実行制御用起動されたかを判断し、画面描画用起動された場合、通常の描画を行い、実行制御用起動された場合、透明画面を描画し、キー入力通知待ち状態となる。
【００２２】
次に、具体例を用いて説明する。図３は、本発明を応用した携帯電話機の構成例を示している。同図に示すように、携帯電話機２００は、コンピュータ１００と、キー入力手段１１０と、画面表示手段１２０とから構成されている。また、キー入力手段１１０は、メニューキー１１１、通話キー１１２、及び「０」乃至「９」の数字キー１１３等のキーから構成されている。また、携帯電話機２００は、図示はしないが、アプリケーションプログラム群１０１と、アプリケーションプログラム実行管理手段１０２と、キー入力通知手段１０３とを備えている。
【００２３】
携帯電話機２００は、待ち受け状態の場合において、キー入力手段１１０の通話キー１１２を押したとき、電話をかける機能を実行する。一方、待ち受け状態において画面表示手段１２０によって表示される画面は、静止画だけでなく、ＭＰＥＧ（Ｍｏｖｉｎｇ  Ｐｉｃｔｕｒｅ  Ｅｘｐｅｒｔｓ  Ｇｒｏｕｐ）の動画、スケジューラの一部であるカレンダ、Ｊａｖａ（Ｊａｖａは、サンマイクロシステムズ社が開発したコンピュータ言語（登録商標））アプリケーションによる描画画面など、さまざまな種類の画面が表示される。
【００２４】
例えば、ＭＰＥＧの動画を描画する場合、アプリケーションプログラム実行管理手段１０２は、ＭＰＥＧ動画を表示するアプリケーションプログラム（以下では適宜、ＭＰＥＧ動画アプリ（ＭＰＥＧ４アプリ）と記載する）を、画面描画用アプリケーションとして起動し、待ち受け処理を実行するアプリケーション（以下では適宜、待ち受けアプリと記載する）を実行制御用アプリケーションとして起動する。
【００２５】
通話キー１１２が押されたとき、キー入力通知手段１０３は、待ち受けアプリに対して入力されたキーに対応するキーコードを通知する。待ち受けアプリは、キー入力通知手段１０３より通知されたキーコードを受け取ると、このキーコードに対応する処理を実行する。この場合、待ち受けアプリの機能として、電話をかけて通話を可能とする動作を実行する。
【００２６】
制御移行操作の一例として、メニューキー１１１によりメニューアプリに移行する場合について説明する。メニューキー１１１が押されると、キー入力通知手段１０３は、入力されたメニューキー１１１に対応するキーコードを待ち受けアプリに通知する。待ち受けアプリは、キー入力通知手段１０３から通知されたキーコードを受け取ると、このキーコードに対応する操作が制御移行操作であると判断し、アプリケーションプログラム実行管理手段１０２に制御を移行する。
【００２７】
アプリケーションプログラム実行管理手段１０２は、制御移行操作に対応するアプリケーションが指定されたテーブルを取得し、このキー操作（いまの場合、メニューキー１１１押下）に対応するメニューアプリを起動する。
【００２８】
また、ＭＰＥＧ動画アプリを実行制御用起動することもある。このＭＰＥＧ動画アプリは、実行制御用起動された場合、例えば、数字キー１１３を構成する「５」キーを押下すると一時停止し、「３」キーを押下すると画面に表示されている画像を静止画として図示せぬメモリに保存する機能を持つ。
【００２９】
また、ＭＰＥＧ動画アプリが描画用アプリとして画面描画用起動された場合には、ＭＰＥＧ動画アプリに対してはキー通知がなされないため、この機能（一時停止機能、保存機能）を実行させる手段はなく、待ち受けアプリの機能のみを動作させることができる。ＭＰＥＧ動画アプリは、実行制御用アプリとして実行制御用起動された場合にのみ、キー入力手段１１０から入力されたキーのキーコードが通知されるようになり、その場合、ＭＰＥＧ動画アプリに一時停止機能、及び保存機能を実行させることができる。
【００３０】
以上説明したように、本実施の形態は以下のような効果を奏する。即ち、新たなアプリケーションを作ることなく、画面描画用アプリケーションと実行制御用アプリケーションを組み合わせることにより、新たな機能を有するアプリケーションを簡単かつ迅速に構築することができることである。その理由は、アプリケーション実行管理手段１０２が、実行制御用アプリケーションに対してキー通知を行い、実行制御用アプリケーションが透明画面を表示して、画面描画用アプリケーションの画面を見せるようにできるためである。
【００３１】
これにより、携帯電話機においては、今後、コンテンツの種別が増えても、各アプリケーションがコンテンツの種別に対応していくのではなく、本実施の形態を用いて、各コンテンツを描画するアプリケーションと実行制御用アプリケーションとを組み合わせることによって、効率よく新たなアプリケーションを作成することが可能となる。
【００３２】
次に、本発明の他の実施の形態について説明する。本実施の形態は、入力手段として、キー入力手段１１０の他に、電話やメールなどの着信受け付け手段を備える。この場合、着信したことをアプリケーションに通知する着信通知手段は、実行制御用アプリケーションに着信を通知し、実行制御用アプリケーションは、着信通知手段より通知された着信内容に応じて動作する。
【００３３】
起動種別として、画面描画用起動、実行制御用起動の他に、画面描画・実行制御両用起動を追加し、１つのアプリケーションが画面描画・実行制御両用として動作することも可能である。制御移行操作として、画面描画用アプリケーションを実行制御用アプリケーションとして動作するよう切り替える手段を持つことも可能である。
【００３４】
なお、上記実施の形態においては、本発明を携帯電話機に適用する場合について説明したが、これに限定されるものではない。また、上記実施の形態においては、Ｊａｖａアプリケーションを用いるようにしているが、他のコンピュータ言語を使用してアプリケーションを開発する場合にも本発明を適用することができる。
【００３５】
また、上記実施の形態の構成及び動作は例であって、本発明の趣旨を逸脱しない範囲で適宜変更することができることは言うまでもない。
【００３６】
【発明の効果】
以上の如く、本発明に係る情報処理装置によれば、複数のアプリケーションプログラムを記憶し、記憶されたアプリケーションプログラムの中から所定のものを選択し、実行制御用アプリケーションプログラムとして起動し、アプリケーションプログラムの中から他の所定のものを選択し、画面描画用アプリケーションプログラムとして起動し、各種データを表示し、所定のキー入力を行い、入力されたキーに対応するキーコードを、起動された実行制御用アプリケーションプログラムに通知し、通知されたキーコードが、他のアプリケーションプログラムへの移行を指示するものであるか否かを判定し、判定結果に応じて、実行制御用アプリケーションを終了させ、画面描画用アプリケーションを実行制御用アプリケーションとして起動するか、または、アプリケーションプログラムの中から、キーコードに対応する所定のアプリケーションプログラムを描画処理用アプリケーションとして起動し、キーコードに対応する他の所定のアプリケーションプログラムを実行制御用アプリケーションとして起動するようにしたので、画面描画用のアプリケーションプログラムと実行制御用のアプリケーションプログラムとを組み合わせて新たなアプリケーションプログラムを簡単かつ短期間に作成することができる。これにより、アプリケーションプログラムの開発期間を短縮することができ、コストを削減することが可能となる。
【図面の簡単な説明】
【図１】本発明を情報処理装置の一実施の形態の構成例を示すブロック図である。
【図２】アプリケーションプログラム実行管理手段１０２の処理手順、画面描画用起動されたアプリケーションプログラムの処理手順、及び実行制御用起動されたアプリケーションプログラムの処理手順を説明するためのフローチャートである。
【図３】本発明を情報処理装置の具体例を示す図である。
【符号の説明】
１００  ＣＰＵを持つコンピュータ（コンピュータ）
１０１  特定機能実現手段（アプリケーションプログラム群）
１０２  アプリケーションプログラム実行管理手段
１０３  キー入力通知手段
１１０  キー入力手段
１１１  メニューキー
１１２  通話キー
１１３  数字キー
１２０  画面表示手段
２００  携帯電話機
【図１】
0003803608.tif 000002
【図２】
0003803608.tif 000003
【図３】
0003803608.tif 000004